(57)【要約】  生産者及び施工業者の双方にとってより利便性の高い在庫管理装置及び在庫管理プログラムを提供すること。  在庫管理装置１は、生産者が販売可能な緑化植物の数量とその引き渡し時期とを含む在庫情報を格納する在庫情報データベース１５と、在庫情報を読み出して、施工側端末３に提供する在庫情報提供部１７と、生産者から施工業者に販売された緑化植物の数量について、引き渡し時期ごとに実績情報として蓄積する実績情報データベース１８と、生産者によって指定された過去を示す検索対象期間を取得して、検索対象期間内に引き渡し時期を含む実績情報を取得する検索部２４と、取得された実績情報に基づいて、検索対象期間内に引き渡された緑化植物の数量を算出する実績数算出部２５と、算出された緑化植物の数量を生産者側端末２に向けて出力する実績数出力部２６と、を備える。
2018131075.tif 000002
【特許請求の範囲】
【請求項１】
緑化植物を生産する生産者の生産者側端末と、生産者から緑化植物を購入して緑化施工をする施工業者の施工側端末との間に介在する在庫管理装置であって、
生産者が販売可能な緑化植物の数量とその引き渡し時期とを含む在庫情報を格納する在庫情報データベースと、
該在庫情報データベースから在庫情報を読み出して、施工側端末に提供する在庫情報提供部と、
生産者から施工業者に販売された緑化植物の数量について、引き渡し時期ごとに実績情報として蓄積する実績情報データベースと、
生産者によって指定された過去を示す検索対象期間を取得して、検索対象期間内に引き渡し時期を含む実績情報を前記実績情報データベースから取得する検索部と、
前記検索部によって取得された実績情報に基づいて、検索対象期間内に引き渡された緑化植物の数量を算出する実績数算出部と、
前記実績数算出部によって算出された緑化植物の数量を生産者側端末に向けて出力する実績数出力部と、
を備えることを特徴とする在庫管理装置。
【請求項２】
所定期間ごとの気象情報を予め格納する気象情報データベースと、
前記気象情報データベースから気象情報を取得する気象情報取得部と、
を更に備え、
前記気象情報取得部は、
所定期間の予想される気象情報を前記気象情報データベースから取得する予想気象情報取得部と、
取得された予想される気象情報に類似する過去の気象情報について前記気象情報データベースを検索し、検出した過去の気象情報に対応する期間を取得する類似期間取得部と、
を備え、
前記検索部は、将来を示す検索対象期間を、前記予想気象情報取得部に取得させる気象情報の期間として生産者側端末から受け付けるとともに、前記類似期間取得部により取得された期間に引き渡し時期を含む実績情報を前記実績情報データベースから取得し、
前記実績数算出部は、前記検索部によって取得された実績情報に基づいて、前記類似期間取得部により取得された期間に引き渡し時期を含む緑化植物の数量を算出する請求項１に記載の在庫管理装置。
【請求項３】
販売された緑化植物の施工場所を場所情報として取得し、実績情報に場所情報を含めて前記実績情報データベースに格納する場所情報取得部と、
所定期間の緑化植物の予想需要を算出する需要算出部と、
を更に備え、
前記需要算出部は、
前記予想気象情報取得部によって取得された予想される気象情報に基づいて、植え替えが必要となる地域を特定する地域特定部と、
前記地域特定部によって特定された地域に施工された緑化植物の数量を更新数として算出する更新数算出部と、
前記更新数算出部によって算出された更新数を出力する更新数出力部と、
を備える請求項２に記載の在庫管理装置。
【請求項４】
前記需要算出部は、
前記地域特定部によって特定された地域を除く地域に関し、実績情報に含まれる引き渡し時期に基づいて、一定期間が経過する緑化植物の数を算出する経過数算出部と、
前記更新数算出部及び前記経過数算出部によって算出された緑化植物の数量の和を需要数として算出する需要数算出部と、
前記経過数算出部によって算出された緑化植物の数量と前記需要数算出部によって算出された緑化植物の数量とを出力する総需要数出力部と、
を更に備える請求項３に記載の在庫管理装置。
【請求項５】
緑化植物を生産する生産者の生産者側端末と、該生産者から緑化植物を購入して緑化施工をする施工業者の施工側端末との間に介在するコンピュータを、在庫管理装置として機能させる在庫管理プログラムであって、
前記コンピュータを、
生産者から施工業者に販売された緑化植物の数量について、引き渡し時期ごとに実績情報として蓄積する実績情報データベース、
生産者によって指定された検索対象期間を取得して、検索対象期間内に引き渡し時期を含む実績情報を前記実績情報データベースから取得する検索部、
前記検索部によって取得された実績情報に基づいて、検索対象期間内に引き渡された緑化植物の数量を算出する実績数算出部、
前記実績数算出部によって算出された緑化植物の数量を生産者側端末に向けて出力する実績数出力部、
として機能させることを特徴とする在庫管理プログラム。
【発明の詳細な説明】
【技術分野】
【０００１】
本発明は、在庫管理装置及び在庫管理プログラムに関する。
【背景技術】
【０００２】
近年、壁面緑化は、都市部で問題になっているヒートアイランド現象の緩和策、省エネ対策の他にも多くの効果が期待できる。このような壁面緑化工事を行う際には、緑化工事の施工業者が、緑化植物を生産する生産者から緑化植物の苗を購入している。そして、施工業者が、購入した苗を登はん材等に巻き付けることにより、緑化工事に用いられるプランタを作製している。したがって、緑化植物の苗は、生産者側において、登はん材に巻き付け可能な程度の大きさ(例えば、１．５ｍ程度)に育てられた後に販売（出荷）される。【０００３】
ところで、植物の種類によっては、緑化植物が販売（出荷）可能になるまでには、育成開始から半年程度の準備期間が必要となる。また、特に、つる性植物については、長尺植物の市場規模が比較的小さいため、施工開始を急ぐ受注が大量に発生した場合には、受注生産となり、出荷待ちとなることがあり得る。さらには、施工場所の環境条件や老化による緑化植物の弱体化（枯れ、色の悪化）が発生した場合に、在庫数の不足から交換が困難となるケースがあり得る。【０００４】
一方で、在庫数が不足することを防止すべく、生産者が大量に苗を育成する場合、需要が少なければ苗余りが発生し、廃棄に繋がってしまう。苗の単価は比較的高価であるので、生産者にとって、何の指針もなく大量育成することは現実的ではない。そこで、施工業者にとって緑化植物の在庫情報がわかるとともに、生産者にとって予想需要がわかる電子商取引システムが提案されている（例えば、特許文献１参照）。
【先行技術文献】
【特許文献】
【０００５】
【特許文献１】特開２００１−１９５５１３号公報
【発明の概要】
【発明が解決しようとする課題】
【０００６】
提案された電子商取引システムでは、生産者が農産物の出荷量や出荷予定日等を入力することにより、購入者（施工業者）は、入力された農産物について購入希望量や納入希望日時等を指定して発注をすることができる。生産者は、購入者（施工業者）からの発注に基づく発注予想情報を得ることができ、この発注予想情報に応じて、生産量や収穫時期を変更したり、販売先を事前に調整したりすることができる。【０００７】
しかしながら、この電子商取引システムでは、既に栽培（育成）されている農産物が対象であり、未だ栽培（育成）が開始されていない農産物については、発注予想情報を得ることができない。そのため、生産者にとっては、どの程度の需要が見込めるのかを栽培（育成）開始前に知ることはできなかった。【０００８】
本発明は、生産者及び施工業者の双方にとってより利便性の高い在庫管理装置及び在庫管理プログラムを提供することを目的とする。
【課題を解決するための手段】
【０００９】
本発明は、緑化植物を生産する生産者の生産者側端末と、生産者から緑化植物を購入して緑化施工をする施工業者の施工側端末との間に介在する在庫管理装置であって、生産者が販売可能な緑化植物の数量とその引き渡し時期とを含む在庫情報を格納する在庫情報データベースと、該在庫情報データベースから在庫情報を読み出して、施工側端末に提供する在庫情報提供部と、生産者から施工業者に販売された緑化植物の数量について、引き渡し時期ごとに実績情報として蓄積する実績情報データベースと、生産者によって指定された過去を示す検索対象期間を取得して、検索対象期間内に引き渡し時期を含む実績情報を前記実績情報データベースから取得する検索部と、前記検索部によって取得された実績情報に基づいて、検索対象期間内に引き渡された緑化植物の数量を算出する実績数算出部と、前記実績数算出部によって算出された緑化植物の数量を生産者側端末に向けて出力する実績数出力部と、を備える在庫管理装置に関する。【００１０】
また、本発明に係る在庫管理装置は、所定期間ごとの気象情報を予め格納する気象情報データベースと、前記気象情報データベースから気象情報を取得する気象情報取得部と、を更に備え、前記気象情報取得部は、所定期間の予想される気象情報を前記気象情報データベースから取得する予想気象情報取得部と、取得された予想される気象情報に類似する過去の気象情報について前記気象情報データベースを検索し、検出した過去の気象情報に対応する期間を取得する類似期間取得部と、を備え、前記検索部は、将来を示す検索対象期間を、前記予想気象情報取得部に取得させる気象情報の期間として生産者側端末から受け付けるとともに、前記類似期間取得部により取得された期間に引き渡し時期を含む実績情報を前記実績情報データベースから取得し、前記実績数算出部は、前記検索部によって取得された実績情報に基づいて、前記類似期間取得部により取得された期間に引き渡し時期を含む緑化植物の数量を算出してもよい。【００１１】
また、本発明に係る在庫管理装置は、販売された緑化植物の施工場所を場所情報として取得し、実績情報に場所情報を含めて前記実績情報データベースに格納する場所情報取得部と、所定期間の緑化植物の予想需要を算出する需要算出部と、を更に備え、前記需要算出部は、前記予想気象情報取得部によって取得された予想される気象情報に基づいて、植え替えが必要となる地域を特定する地域特定部と、前記地域特定部によって特定された地域に施工された緑化植物の数量を更新数として算出する更新数算出部と、前記更新数算出部によって算出された更新数を出力する更新数出力部と、を備えてもよい。【００１２】
また、前記需要算出部は、前記地域特定部によって特定された地域を除く地域に関し、実績情報に含まれる引き渡し時期に基づいて、一定期間が経過する緑化植物の数を算出する経過数算出部と、前記更新数算出部及び前記経過数算出部によって算出された緑化植物の数量の和を需要数として算出する需要数算出部と、前記経過数算出部によって算出された緑化植物の数量と前記需要数算出部によって算出された緑化植物の数量とを出力する総需要数出力部と、を更に備えてもよい。【００１３】
また、本発明は、緑化植物を生産する生産者の生産者側端末と、該生産者から緑化植物を購入して緑化施工をする施工業者の施工側端末との間に介在するコンピュータを、在庫管理装置として機能させる在庫管理プログラムであって、前記コンピュータを、生産者から施工業者に販売された緑化植物の数量について、引き渡し時期ごとに実績情報として蓄積する実績情報データベース、生産者によって指定された検索対象期間を取得して、検索対象期間内に引き渡し時期を含む実績情報を前記実績情報データベースから取得する検索部、前記検索部によって取得された実績情報に基づいて、検索対象期間内に引き渡された緑化植物の数量を算出する実績数算出部、前記実績数算出部によって算出された緑化植物の数量を生産者側端末に向けて出力する実績数出力部、として機能させる在庫管理プログラムに関する。
【発明の効果】
【００１４】
本発明によれば、生産者及び施工業者の双方にとってより利便性の高い在庫管理装置及び在庫管理プログラムを提供することができる。
【図面の簡単な説明】
【００１５】
【図１】本発明の一実施形態に係る在庫管理装置を含むシステムを示す概略構成図である。
【図２】一実施形態の在庫管理装置を示すブロック図である。
【図３】一実施形態の在庫管理装置の在庫管理データベースに格納された在庫情報を示す図である。
【図４】一実施形態の在庫管理装置の実績情報データベースに格納された実績情報を示す図である。
【図５】一実施形態の在庫管理装置において、生産者側端末とのやり取りを示すフローチャートである。
【図６】一実施形態の在庫管理装置において、生産者側端末とのやり取りを示すフローチャートである。
【図７】一実施形態の在庫管理装置において、施工側端末とのやり取りを示すフローチャートである。
【発明を実施するための形態】
【００１６】
以下、本発明に係る在庫管理装置及びプログラムの一実施形態について図１〜図７を参照して説明する。
本実施形態に係る在庫管理装置１は、緑化植物を生産する生産者の生産者側端末２と、該生産者から緑化植物を購入して緑化工事を施工する（緑化施工をする）施工業者の施工側端末３との間に介在する装置である。図１に示すように、在庫管理装置１は、電気通信回線を介して、複数の生産者のそれぞれに設けられる生産者側端末２と、複数の施工業者のそれぞれに設けられる施工側端末３と接続可能になっている。この在庫管理装置１は、生産者側端末２から送信された緑化植物の種類、数、引き渡し時期（出荷可能時期）、及び、単価を在庫情報として格納する。そして、この在庫管理装置１は、この在庫情報を、施工側端末３を介して施工業者に提供することができる。また、この在庫管理装置１は、生産者側端末２に対して過去の販売状況に即した実績に関する情報を提供することができるとともに、予想される需要に関する情報を提供することができる。
【００１７】
このような在庫管理装置１は、図２に示すように、送受信部１１と、認証部１２と、画面情報データベース１３と、ユーザ管理部１４と、在庫情報データベース１５と、在庫登録部１６と、在庫情報提供部１７と、実績情報データベース１８と、注文処理部１９と、場所情報取得部２０、気象情報データベース２１と、気象情報更新部２２と、気象情報取得部２３と、検索部２４と、実績数算出部２５と、実績数出力部２６と、需要算出部２７と、を備える。
【００１８】
送受信部１１は、生産者側端末２及び施工側端末３との間で情報を送受信することが可能な通信インタフェースである。
認証部１２は、生産者側端末２及び施工側端末３から送信されたＩＤ、パスワード等のログイン情報を認証する。認証部１２は、認証情報データベース１２１と、認証実行部１２２と、を備える。
【００１９】
認証情報データベース１２１は、生産者及び施工業者毎に予め割り当てられたログイン情報を格納する。また、認証情報データベース１２１は、ログイン情報に紐付けされた生産者又は施工業者であることを識別する情報（業種情報）を格納する。
認証実行部１２２は、生産者側端末及び施工側端末３から送信されたログイン情報と、認証情報データベース１２１に格納されているログイン情報とを比較して、生産者及び施工業者を認証する。
【００２０】
以上のような認証部１２によれば、認証実行部１２２が生産者側端末２及び施工側端末３から送信されたログイン情報を、認証情報データベース１２１に格納されたログイン情報と認証することにより、正規に登録された生産者及び施工業者にサービスを提供することができる。
【００２１】
画面情報データベース１３は、生産者側端末２及び施工側端末３のそれぞれに送信するための画面情報を生産者及び施工業者を区別して格納する。
ユーザ管理部１４は、認証実行部１２２によって認証された生産者側端末２及び施工側端末３を識別する。具体的には、ユーザ管理部１４は、業種情報に基づいて、画面情報データベース１３から送信すべき画面情報を読み出して、生産者側端末２又は施工側端末３に送信する。これにより、ユーザ管理部１４は、生産者側端末２又は施工側端末３とセッションを開始する。以上のような画面情報データベース１３及びユーザ管理部１４によれば、ユーザ管理部１４が生産者及び施工業者を区別して画面情報を送信するので、生産者に提供するサービスと、施工業者に提供するサービスとを区別することができる。
【００２２】
在庫情報データベース１５は、生産者側端末２からもたらされた緑化植物の在庫の情報を在庫情報として格納する。具体的には、在庫情報データベース１５は、緑化植物の種類ごとに分けて在庫情報を格納する。そして、図３に示すように、在庫情報データベース１５は、生産者ごとに、生産者が販売可能な緑化植物の数量、その引き渡し時期、及び、単価を在庫情報として格納する。本実施形態においては、在庫情報データベース１５は、月ごとに、引き渡し可能な数量を在庫情報として格納する。
【００２３】
在庫登録部１６は、生産者側端末２から送信された新たな在庫に関する情報に基づいて、在庫情報データベース１５に格納されている在庫情報を更新する。例えば、在庫登録部１６は、在庫情報データベース１５から在庫情報を読み出して、読み出した在庫情報に新たな在庫に関する情報を加えることにより在庫情報を更新する。そして、在庫登録部１６は、更新した在庫情報を在庫情報データベース１５に格納する。
【００２４】
在庫情報提供部１７は、在庫情報データベース１５から在庫情報を読み出して、読み出した在庫情報を施工業者に提供する。具体的には、在庫情報提供部１７は、読み出した在庫情報を、ユーザ管理部１４及び送受信部を介して施工側端末３に向けて送信する。
【００２５】
以上のような、在庫情報データベース１５、在庫登録部１６、及び、在庫情報提供部１７によれば、在庫登録部１６は、在庫情報データベース１５に格納されている在庫情報を、生産者側端末２からの在庫の登録の度に更新する。従って、在庫情報データベース１５に格納されている在庫情報は、常に最新の状態に保たれる。在庫情報提供部１７がこのような最新の在庫情報を施工側端末３に提供するので、施工業者は、最新の在庫情報に基づいた施工計画を立てることができる。
【００２６】
実績情報データベース１８は、例えば、図４に示すように、生産者から施工業者に販売された緑化植物の種類、数、施工業者名、生産者名、引き渡し時期、及び、引き渡し単価等を実績情報として蓄積する。
注文処理部１９は、在庫情報に基づいて施工側端末３から送信される注文を、生産者側端末２に送信する。また、注文処理部１９は、送信された注文に基づいて、在庫情報データベース１５に格納されている在庫情報を更新する。そして、注文処理部１９は、送信された注文に基づいて、販売された緑化植物の数と引き渡し時期とを含む実績情報を実績情報データベース１８に格納する。
【００２７】
場所情報取得部２０は、施工側端末３から注文が送信される際に、販売された緑化植物の施工場所を場所情報として施工側端末３から取得する。また、場所情報取得部２０は、送信された注文に基づいて格納された実績情報に、場所情報を含めて実績情報データベース１８に格納する。
【００２８】
以上のような、実績情報データベース１８、注文処理部１９、及び、場所情報取得部２０によれば、注文処理部１９は、在庫情報に基づいて生産者から施工業者への緑化植物の販売を仲介することができる。また、実績情報データベース１８は、注文内容を実績情報として蓄積し、場所情報取得部２０が緑化植物の施工場所を実績情報に含めることができるので、販売された緑化植物の施工に関する情報についても蓄積することができる。
【００２９】
気象情報データベース２１は、所定期間ごとの気象情報を予め格納する。例えば、気象情報データベース２１は、月ごとの気象情報を予め格納する。また、気象情報データベース２１は、地域ごとの気象情報を格納する。気象情報データベース２１は、現在よりも先の予想された気象情報を格納するとともに、過去の気象情報を格納する。気象情報データベース２１は、例えば、月及び地域ごとの気温や日照時間等の情報を気象情報として格納する。
【００３０】
気象情報更新部２２は、外部の気象予測装置（図示せず）等から気象情報を取得し、気象情報データベース２１に格納されている気象情報を更新する。例えば、気象情報更新部２２は、定期的に気象予測装置（図示せず）にアクセスし、予想された気象情報が追加又は変更されたときに、気象情報を更新する。また、気象情報更新部２２は、現在の気象情報（実績）に基づいて、気象情報データベース２１に格納されている気象情報を更新（補正）する。
【００３１】
気象情報取得部２３は、予想気象情報取得部２３１と、類似期間取得部２３２と、を備える。
予想気象情報取得部２３１は、所定期間後の予想される気象情報を気象情報データベース２１から取得する。
【００３２】
類似期間取得部２３２は、取得された予想される気象情報に類似する過去の気象情報について気象情報データベース２１を検索する。また、類似期間取得部２３２は、検出した過去の気象情報に対応する時期（期間）を取得する。例えば、類似期間取得部２３２は、予想される気象情報に含まれる気温や日照時間と、過去の気象情報に含まれる気温や日照時間とを対比して、類似する過去の気象情報に対応する時期（期間）を取得する。
【００３３】
以上のような気象情報データベース２１、気象情報更新部２２、及び、気象情報取得部２３によれば、今後、予想される気象情報に基づいて、過去において類似する気象情報の期間を取得することができる。
【００３４】
検索部２４は、生産者によって生産者側端末２に入力（指定）された緑化植物の種類と、検索対象期間とに基づいて、実績情報データベース１８から実績情報を取得する。具体的には、検索部２４は、検索対象期間が過去の期間である場合、指定された緑化植物について、検索対象期間に引き渡し時期が含まれる実績情報を実績情報データベース１８から読み出す。一方、検索部２４は、検索対象期間が将来の期間である場合、予想気象情報取得部２３１に、予想される気象情報を気象情報データベース２１から取得させる。検索部２４は、指定された緑化植物について、類似期間取得部２３２によって取得された時期（期間）に含まれる実績情報を実績情報データベース１８から読み出す。
【００３５】
実績数算出部２５は、読み出された実績情報に基づいて、検索対象期間又は類似期間取得部２３２によって取得された時期（期間）に販売（注文）された緑化植物の種類及び数を集計する。なお、実績数算出部２５は、時期（期間）ごとの平均単価を集計してもよい。
実績数出力部２６は、実績数算出部２５によって集計された緑化植物の数量を生産者側端末２に向けて出力する。
【００３６】
このような検索部２４、実績数算出部２５、及び、実績数出力部２６によれば、検索部２４は、生産者側端末２から取得した過去の検索対象期間に基づいて、実績情報を取得することができる。一方、検索部２４は、生産者側端末２から取得した将来の検索対象期間に基づいて、検索対象期間に予想される気象情報に類似する過去の気象情報であったときの実績情報を取得することができる。実績数出力部２６は、検索対象期間に引き渡し時期を含む実績情報から、販売された緑化植物の数量に関する情報を生産者側端末２に提供することができる。これにより、生産者は、過去の検索対象期間を入力することにより、当該検索対象期間に、どの程度の需要があったのかを把握することができる。また、生産者は、将来の検索対象期間を入力することにより、当該検索対象期間に、どの程度の需要がありそうなのかを把握することができる。従って、生産者は、育成を開始する苗の数量について、おおまかな量を知ることができ、育成計画の参考にすることができる。
【００３７】
需要算出部２７は、実績情報に基づいて、所定期間のより詳細な緑化植物の予想需要を算出する。需要算出部２７は、植替条件データベース２７１と、地域特定部２７２と、更新数算出部２７３と、更新数出力部２７４と、経過数算出部２７５と、総需要数算出部２７６と、を備える。
【００３８】
植替条件データベース２７１は、緑化植物の種類ごとに、植替えが必要となる植替条件を格納する。例えば、植替条件データベース２７１は、植物の変色が発生する温度等の気象条件や、施工から弱体化による再施工の目安となる期限の情報を植替条件として格納する。
【００３９】
地域特定部２７２は、予想気象情報取得部２３１によって取得された予想される気象情報に基づいて、植え替えが必要となる地域を特定する。具体的には、地域特定部２７２は、植替条件データベース２７１に格納された植替条件を読み出す。そして、地域特定部２７２は、予想される気象情報と、読み出した植替条件とを比較して、緑化植物の種類ごとに、植替えが必要となる地域を特定する。
【００４０】
更新数算出部２７３は、地域特定部２７２によって特定された地域に施工された緑化植物の数を更新数として算出する。具体的には、更新数算出部２７３は、緑化植物の種類ごとに、実績情報データベース１８から、特定された地域に施工された緑化植物の実績情報を取得する。更新数算出部２７３は、取得された実績情報の数に基づいて、緑化植物の種類ごとに、更新が必要となる緑化植物の数を算出する。
【００４１】
更新数出力部２７４は、算出された更新数をする。本実施形態において、更新数出力部２７４は、生産者側端末２に向けて算出された更新数を出力する。
【００４２】
経過数算出部２７５は、地域特定部２７２によって特定された地域を除く地域に関し、実績情報に含まれる引き渡し時期に基づいて、一定期間が経過する緑化植物の数を算出する。具体的には、経過数算出部２７５は、実績情報データベース１８に格納されている実績情報を読み出して、緑化植物の種類ごとに、地域特定部２７２によって特定された地域を除く地域の場所情報をもつ実績情報を抽出する。経過数算出部２７５は、抽出した実績情報のうち、育成を開始する時期に、引き渡し時期が一定期間を経過する緑化植物の数を算出する。
【００４３】
総需要数算出部２７６は、更新数算出部２７３及び経過数算出部２７５によって算出された数の和を総需要情報として算出する。具体的には、総需要数算出部２７６は、緑化植物の種類ごとに、更新数算出部２７３及び経過数算出部２７５によって算出された緑化植物の数の和を総需要数として算出する。
総需要数出力部２７７は、算出された総需要数を出力する。本実施形態において、総需要数出力部２７７は、生産者側端末２に向けて算出された総需要数を出力する。
【００４４】
以上のような需要算出部２７によれば、更新数算出部２７３が、既に施工された緑化植物について、気象による影響により植え替えが必要となる緑化植物の数を算出することができる。また、経過数算出部２７５が、施工時からの経過時間の影響により植え替えが必要となる緑化植物の数を算出することができる。総需要数算出部２７６は、気象の影響及び時間の影響により植え替えが必要となる緑化植物の総数を算出することができる。これにより、生産者は、将来的な植替え需要に対して、生産数を調整することが可能となる。
【００４５】
次に、本実施形態に係る在庫管理装置１の動作の流れを図５〜図７のフローチャートを参照して説明する。
まず、生産者側端末２に対する在庫管理装置１の動作の流れについて、図５及び図６のフローチャートを用いて説明する。
【００４６】
まず、生産者側端末２から、在庫情報管理装置に対して、ＩＤ、パスワード等のログイン情報が送信される。認証実行部１２２は、送受信部を介してログイン情報を受信し、認証情報データベース１２１を参照して受信したログイン情報を認証する（ステップＳ１）。認証実行部１２２がログイン情報を正規であると判断すると、ユーザ管理部１４は、生産者側端末２とのセッションを確立する（ステップＳ２）。
【００４７】
生産者側端末２から新たな在庫情報が送信された場合（ステップＳ３  ＹＥＳ）、在庫登録部１６は、新たな在庫情報を用いて在庫情報データベース１５に格納されている在庫情報を更新する。例えば、在庫情報登録部は、新たな在庫情報に関する緑化植物の種類及び数に基づいて更新した在庫情報を在庫情報データベース１５に格納する（ステップＳ４）。新たな在庫情報が送信されない場合（ステップＳ３  ＮＯ）、ステップＳ５に進む。
【００４８】
生産者側端末２から実績情報を閲覧する要求があった場合（ステップＳ５  ＹＥＳ）、検索部２４は、実績情報の閲覧を希望する検索対象期間及び緑化植物の種類を生産者側端末２から受け付ける（ステップＳ６）。検索部２４は、受け付けた検索対象期間について、過去であるか将来であるかを判断する（ステップＳ７）。検索部２４は、過去である検索対象期間を受け付けた場合（ステップＳ７  ＹＥＳ）、指定された緑化植物に関して、検索対象期間に引き渡し時期が含まれる実績情報を実績情報データベース１８から読み出す（ステップＳ８）。
【００４９】
一方、検索部２４が将来である検索対象期間を受け付けた場合（ステップＳ７  ＮＯ）、予想気象情報取得部２３１は、検索対象期間に予想される気象情報を気象情報データベース２１から読み出す（ステップＳ９）。類似期間取得部２３２は、予想気象情報取得部２３１によって取得された気象情報に類似する過去の気象情報について、気象情報データベース２１を検索する。類似期間取得部２３２は、検出した過去の気象情報に対応する時期（期間）を取得する（ステップＳ１０）。検索部２４は、指定された緑化植物に対して、過去の気象情報に対応する時期（期間）の実績情報を実績情報データベース１８から取得する（ステップＳ１１）。
【００５０】
実績数算出部２５は、検索部２４によって読み出された実績情報に含まれる緑化植物の数量を集計する。実績数出力部２６は、実績情報を閲覧する要求をした生産者側端末２に、集計した緑化植物の数量を出力する（ステップＳ１２）。
【００５１】
次に、図６に示すように、生産者側端末２から植替需要について閲覧を希望する入力があった場合（ステップＳ１３  ＹＥＳ）、地域特定部２７２は、植替需要の閲覧を希望する緑化植物の種類及び時期について、生産者側端末２から入力（指定）を受け付ける（ステップＳ１４）。予想気象情報取得部２３１は、入力された時期に基づいて、予想された気象情報を気象情報データベース２１から取得する（ステップＳ１５）。地域特定部２７２は、植替条件データベース２７１を参照し、入力された緑化植物の種類の植替条件を取得する(ステップＳ１６)。地域特定部２７２は、取得した植替条件と、予想される気象情報とを対比して、植替条件に該当する地域を特定する（ステップＳ１７）。更新数算出部２７３は、指定された緑化植物の種類と、特定された地域の場所情報とを含む実績情報を実績情報データベース１８から取得する。更新数算出部２７３は、取得した実績情報に含まれる緑化植物の数を算出する（ステップＳ１８）。
【００５２】
次に、経過数算出部２７５は、入力された緑化植物の種類及び時期について、地域特定部２７２によって特定された地域を除く地域に関し、実績情報に含まれる引き渡し時期に基づいて、一定期間が経過する緑化植物の数を算出する（ステップＳ１９）。具体的には、経過数算出部２７５は、地域特定部２７２から特定された地域を取得する。また、経過数算出部２７５は、実績情報データベース１８から、入力された緑化植物の種類及び時期に関する実績情報を取得する。そして、経過数算出部２７５は、植替条件データベース２７１から、入力された緑化植物に関して、施工からの更新周期を定義する植替え条件を取得する。経過数算出部２７５は、実績情報に含まれる緑化植物のうち、更新周期に該当する緑化植物の数を算出する。総需要数算出部２７６は、更新数算出部２７３及び経過数算出部によって算出された数の和を総需要数として算出する（ステップＳ２０）。
【００５３】
更新数出力部２７４は、更新数算出部２７３によって算出された緑化植物の更新数を生産者側端末２に出力する（ステップＳ２１）。これにより、更新数出力部２７４は、入力された緑化植物の種類及び時期に関し、気象の影響により更新が必要となる緑化植物の数を出力することができる。また、総需要数出力部２７７は、経過数算出部２７５によって算出された緑化植物の数（経過数）と、総需要数算出部２７６によって算出された緑化植物の数（総需要数）を生産者側端末２に出力する。（ステップＳ２２）。これにより、総需要数出力部２７７は、入力された緑化植物の種類及び時期に関し、経年劣化により更新が必要となる緑化植物の数を出力することができるとともに、気象及び経年劣化により更新が必要となる緑化植物の総数を出力することができる。
一方、植替需要について閲覧を希望する入力が無い場合（ステップＳ１３  ＮＯ）、終了する。
【００５４】
次に、施工側端末３に対する在庫管理装置１の動作の流れについて、図７のフローチャートを用いて説明する。
【００５５】
まず、施工側端末３から、在庫情報管理装置に対して、ＩＤ、パスワード等のログイン情報が送信される。認証実行部１２２は、送受信部を介してログイン情報を受信し、認証情報データベース１２１を参照して受信したログイン情報を認証する（ステップＳ３１）。認証実行部１２２がログイン情報を正規であると判断すると、ユーザ管理部１４は、施工側端末３とのセッションを確立する（ステップＳ３２）。
【００５６】
施工側端末３から在庫を確認する入力があった場合（ステップＳ３３  ＹＥＳ）、在庫情報提供部１７は、在庫情報データベース１５から在庫情報を取得する（ステップＳ３４）。在庫情報提供部１７は、在庫情報を施工側端末３に出力する。一方、在庫を確認しない場合（ステップＳ３３  ＮＯ）、ステップＳ３５に進む。
【００５７】
緑化植物の注文が実行される場合（ステップＳ３５  ＹＥＳ）、注文処理部１９は、注文に関する情報として、緑化植物の種類、数量、及び、生産者を識別する情報について、施工側端末３から取得する（ステップＳ３６）。場所情報取得部２０は、緑化植物を施工する場所について場所情報として、施工側端末３から取得する（ステップＳ３７）。
【００５８】
注文処理部１９は、施工側端末３から取得した注文に関する情報に基づいて、在庫情報を更新する（ステップＳ３８）。また、注文処理部１９は、生産者を識別する情報に基づいて、注文を生産者側端末２に向けて出力する。さらには、注文処理部１９は、実績情報を作成し、実績情報データベース１８に格納する（ステップＳ３９）。場所情報取得部２０は、作成された実績情報に場所情報を含めて実績データベースに格納する。
【００５９】
以上のような在庫管理装置１及び在庫管理プログラムによれば、以下の効果を奏する。
【００６０】
（１）在庫管理装置１について、在庫情報データベース１５から在庫情報を読み出して、施工側端末３に提供する在庫情報提供部１７を備えるように構成した。これにより、施工業者は、緑化植物の在庫数に基づいて施工可能な時期及び受注可能な上限数を知ることができる。従って、施工業者は、容易に施工計画を立てることができる。そして更に、在庫管理装置１について、販売された緑化植物の数と引き渡し時期とを実績情報として蓄積する実績情報データベース１８と、生産者によって指定された検索対象期間を取得して、検索対象期間内に引き渡し時期が含まれる実績情報を実績情報データベース１８から読み出す検索部２４と、読み出された実績情報を生産者側端末２に向けて出力する実績数出力部２６とを備えるように構成した。これにより、生産者は、過去の販売実績に基づいて、緑化植物の需要見込みを知ることができ、育成を開始する緑化植物の数を調整することができる。従って、生産者及び施工業者の双方にとってより利便性の高い在庫管理装置１を提供することができる。
【００６１】
（２）所定期間ごとの気象情報を予め格納する気象情報データベース２１と、気象情報データベース２１から気象情報を取得する気象情報取得部２３と、を更に備えるように構成した。また、気象情報取得部２３が、予想される気象情報を取得する予想気象情報取得部２３１と、過去の気象情報について予想される気象情報に類似する期間を取得する類似期間取得部２３２と、を備えるように構成した。そして、検索部２４が、類似する期間の実績情報を取得し、実績数算出部２５が、類似する期間に引き渡し時期を含む緑化植物の数量をするように構成した。これにより、生産者は、予想される気象情報に対して、類似する過去の気象情報に対応する期間の実績情報を得ることができる。従って、過去を参照した需要予想をすることができるので、より利便性の高い在庫管理装置１を提供することができる。
【００６２】
（３）取得した気象情報に基づいて、植え替えが必要となる地域を特定する地域特定部２７２と、特定された地域に施工された緑化植物の更新数を算出する更新数算出部２７３と、更新数を出力する更新数出力部２７４とを備えるように構成した。これにより、生産者は、実際に施工されている緑化植物の数量に基づいて、気象変化のために植え替えが必要となる緑化植物の更新数の詳細を把握することができる。育成を開始すべき緑化植物の数量の詳細を把握することにより、提供可能な緑化植物が不足する事態を防止することができるとともに、過剰生産により廃棄される緑化植物の数を減少させることができるので、より利便性の高い在庫管理装置１を提供することができる。
【００６３】
（４）引き渡し時期から所定の期間が経過した緑化植物の数を算出する経過数算出部２７５と、更新数算出部２７３及び経過数算出部２７５によって算出された緑化植物の数量の和を需要数として算出する需要算出部２７とを備えるように構成した。これにより、生産者は、実際に施工されている緑化植物の数量に基づいて、気象による影響で交換が必要となる緑化植物の数量に加え、老化により弱体化（枯れ、色の悪化）するであろう緑化植物の数量を、将来増加する需要数として生産開始前に知ることができる。また、施工業者は、植替施工の計画を容易に作成することができる。従って、より利便性の高い在庫管理装置１を提供することができる。
【００６４】
以上、本発明の在庫管理装置及び在庫管理プログラムの好ましい一実施形態につき説明したが、本発明は、上述の実施形態に制限されるものではなく、適宜変更が可能である。
【００６５】
例えば、在庫管理装置１の各部は、ハードウエアにより実現されてもよく、ソフトウエアにより実現されてもよく、ハードウエアとソフトウエアとの組み合わせにより実現されてもよい。また、プログラムが実行されることにより、コンピュータが、在庫管理装置１の少なくとも一部として機能してもよい。プログラムは、ＣＤ−ＲＯＭ、ＤＶＤ−ＲＯＭ、メモリ、ハードディスクなどのコンピュータ読み取り可能な媒体に記憶されていてもよく、ネットワークに接続された記憶装置に記憶されていてもよい。プログラムは、コンピュータ読み取り可能な媒体又はネットワークに接続された記憶装置から、在庫管理装置１の少なくとも一部を構成するコンピュータにインストールされてよい。
【００６６】
コンピュータを在庫管理装置１の少なくとも一部として機能させるプログラムは、在庫管理装置１の各部の動作を規定したモジュールを備えてよい。これらのプログラム又はモジュールは、プロセッサ、通信インタフェース等に働きかけて、コンピュータを在庫管理装置１の各部として機能させたり、コンピュータに在庫管理装置１における情報処理方法を実行させたりする。
【００６７】
これらのプログラムに記述された情報処理は、コンピュータに読込まれることにより、ソフトウエアと、在庫管理装置１の各種のハードウエア資源とが協働した具体的手段として機能する。そして、これらの具体的手段によって、本実施形態におけるコンピュータの使用目的に応じた情報の演算又は加工を実現することにより、使用目的に応じた在庫管理装置１を構築することができる。
【００６８】
また、上記実施形態において、需要算出部２７は、更新数、経過数、及び、総需要数を生産者側端末２に送信することとした。これに対し、需要算出部２７は、施工側端末３に対して、更新数、経過数、及び、総需要数を出力するようにしてもよい。例えば、地域特定部２７２は、さらに、施工業者を識別する識別情報（ログイン情報）をユーザ管理部１４から取得するようにしてもよい。そして、更新数算出部２７３、経過数算出部２７５、及び、総需要数算出部２７６は、施工業者を識別する情報を含む実績情報を読み出して、入力された緑化植物の種類及び時期について、更新数、経過数、及び総需要数を算出してもよい。更新数出力部２７４及び総需要数出力部２７７は、識別された施工業者の施工側端末３に対して、更新数、経過数、及び、総需要数を出力してもよい。これにより、在庫管理装置１は、施工業者にとって、品質管理装置としての機能をもつことができる。
【符号の説明】
【００６９】
１  在庫管理装置
２  生産者側端末
３  施工側端末
１５  在庫情報データベース
１７  在庫情報提供部
１８  実績情報データベース
２０  場所情報取得部
２１  気象情報データベース
２３  気象情報取得部
２４  検索部
２５  実績数算出部
２６  実績数出力部
２７  需要算出部
２３１  予想気象情報取得部
２３２  類似期間取得部
２７２  地域特定部
２７３  更新数算出部
２７４  更新数出力部
２７５  経過数算出部
２７６  総需要数算出部
２７７  総需要数出力部
【図１】
2018131075.tif 000003
【図２】
2018131075.tif 000004
【図３】
2018131075.tif 000005
【図４】
2018131075.tif 000006
【図５】
2018131075.tif 000007
【図６】
2018131075.tif 000008
【図７】
2018131075.tif 000009
【国際調査報告】
2018131075.tif 000010
2018131075.tif 000011